(57)【要約】      （修正有）【課題】洗浄中に付着した洗浄水が残るのを防止することができる風呂蓋および風呂システムを提供する。【解決手段】底面から洗浄水が供給される浴槽１００に配置される、風呂蓋２０であって、少なくとも一部が、前記浴槽の框の上面に配置され、当該浴槽の上部開口を塞ぐように構成された本体部を備え、前記本体部が、前記浴槽に配置されたとき、当該本体部において前記浴槽の内部を向く内側面が、少なくとも一方向に傾斜するように構成されている。【選択図】図８
2020130717.tif 000002
【特許請求の範囲】
【請求項１】
底面から洗浄水が供給される浴槽に配置される、風呂蓋であって、
少なくとも一部が、前記浴槽の框の上面に配置され、当該浴槽の上部開口を塞ぐように構成された本体部を備え、
前記本体部が、前記浴槽に配置されたとき、当該本体部において前記浴槽の内部を向く内側面が、少なくとも一方向に傾斜するように構成されている、風呂蓋。
【請求項２】
前記本体部の内側面の一端部に設けられた支持部材を備えており、
前記本体部が、前記浴槽に配置されたとき、前記支持部材が、前記浴槽の框の上面に配置可能となっており、これによって、前記内側面が、前記一端部から他端部へ向けて傾斜するように構成されている、請求項１に記載の風呂蓋。
【請求項３】
前記本体部が、前記浴槽に配置されたとき、前記本体部の内側面が、当該本体部の中央に向かって下方に傾斜するように構成されている、請求項１に記載の風呂蓋。
【請求項４】
前記本体部の周縁に設けられ、前記浴槽の框に着脱自在に固定可能な複数の固定部材をさらに備え、
前記本体部はシート状に形成されている、請求項１に記載の風呂蓋。
【請求項５】
前記本体部の中央付近に取り付けられ、当該本体部を吊り下げるための固定具をさらに備えている、請求項４に記載の風呂蓋。
【請求項６】
浴槽と、
前記浴槽の底面に配置されるノズルを有し、当該ノズルから空円錐状の洗浄水を噴射させるように構成された自動洗浄装置と、
請求項１から５のいずれかに記載の風呂蓋と、
を備えている、風呂システム。
【発明の詳細な説明】
【技術分野】
【０００１】
本発明は、底面から洗浄水が供給される浴槽に配置される、風呂蓋および風呂システムに関する。
【背景技術】
【０００２】
近年、浴槽の自動洗浄を行う種々の自動洗浄装置が提案されている。例えば、特許文献１の自動洗浄装置では、浴槽に風呂蓋が取り付けられた状態で、洗浄が行われる。すなわち、浴槽の底面に取り付けられたノズルから浴槽の内壁面及び風呂蓋に向けて洗浄水を噴出し、浴槽の内壁面に付着した汚れを洗浄するように構成されている。また、風呂蓋に向かって噴出された洗浄水は、蓋から跳ね返って浴槽の内壁面に飛散し、これによっても内壁面が洗浄される。
【先行技術文献】
【特許文献】
【０００３】
【特許文献１】特許第３５０９０８９号公報
【発明の概要】
【発明が解決しようとする課題】
【０００４】
しかしながら、風呂蓋には、洗浄中に付着した洗浄水の泡等が残ることがあり、このような場合には、風呂蓋を外した後にシャワーなどで洗浄水を洗い流す必要がある。本発明は、このような問題を解決するためになされたものであって、洗浄中に付着した洗浄水（特に泡）が残るのを防止することができる風呂蓋及び風呂システムを提供することを目的とする。
【課題を解決するための手段】
【０００５】
本発明は、底面から洗浄水が供給される浴槽に配置される、風呂蓋であって、少なくとも一部が、前記浴槽の框の上面に配置され、当該浴槽の上部開口を塞ぐように構成された本体部を備え、前記本体部が、前記浴槽に配置されたとき、当該本体部において前記浴槽の内部を向く内側面が、少なくとも一方向に傾斜するように構成されている。
【０００６】
上記風呂蓋において、前記本体部の内側面の一端部に設けられた支持部材を備えることができ、前記本体部が、前記浴槽に配置されたとき、前記支持部材が、前記浴槽の框の上面に配置可能となっており、これによって、前記内側面が、前記一端部から他端部へ向けて傾斜するように構成することができる。
【０００７】
上記風呂蓋においては、前記本体部が、前記浴槽に配置されたとき、前記本体部の内側面が、当該本体部の中央に向かって下方に傾斜するように構成することができる。
【０００８】
上記風呂蓋においては、前記本体部を、複数に分割することができる。
【０００９】
上記風呂蓋においては、前記本体部の周縁に設けられ、前記浴槽の框に着脱自在に固定可能な複数の固定部材をさらに備えることができ、前記本体部を変形可能なシート状に形成することができる。
【００１０】
上記風呂蓋において、本体部をシート状に形成する場合には、前記本体部の中央付近に取り付けられ、当該本体部を吊り下げるための固定具をさらに備えることができる。
【００１１】
本発明に係る風呂システムは、浴槽と、前記浴槽の底面に配置されるノズルを有し、当該ノズルから空円錐状の洗浄水を噴射させるように構成された自動洗浄装置と、上述したいずれかの風呂蓋と、を備えている。
【発明の効果】
【００１２】
本発明に係る風呂蓋によれば、自動洗浄中に付着した洗浄水（特に泡）が残るのを防止することができる。
【図面の簡単な説明】
【００１３】
【図１】本発明の一実施形態に従う自動洗浄装置を含む風呂システムの概略構成を示す図である。
【図２】浴室の平面図である。
【図３】浴槽の平面図である。
【図４】風呂蓋の平面図である。
【図５】図４のＣ−Ｃ線断面図である。
【図６】図４のＤ−Ｄ線断面図である。
【図７】風呂蓋を分割した状態を示す平面図である。
【図８】図３のＡ−Ａ線断面図である。
【図９】図３のＢ−Ｂ断面図である。
【図１０】風呂システムにおける自動洗浄の流れを示すフローチャートである。
【図１１】風呂蓋の他の例を示す断面図である。
【図１２】風呂蓋の他の例を示す断面図である。
【図１３】風呂蓋の他の例を示す斜視図である。
【図１４】風呂蓋の他の例を示す断面図である。
【図１５】風呂蓋の他の例を示す断面図である。
【図１６】風呂蓋の他の例を示す平路面図である。
【図１７】図１６の風呂蓋の断面図である。
【図１８】図１６の風呂蓋を使用しないときの保管例を示す図である。
【発明を実施するための形態】
【００１４】
以下、本発明に係る浴槽システムの一実施形態について、図面を参照しつつ説明する。なお、図中同一又は相当部分には同一符号を付してその説明は繰り返さない。
【００１５】
＜１．風呂システムの概要＞
図１は、本実施形態に従う自動洗浄装置を含む風呂システムの概略構成を示す図、図２は浴室の平面図、図３は浴槽の平面図である。この風呂システムは、主に高齢者介護施設のような様々な人々が同居する施設の内部に設置され、共用される。なお、図１においては、配管の一部が省略されている。
【００１６】
図１〜図３に示すように、風呂システム１は、浴室１０に配置される浴槽１００と、この浴槽１００に配置可能な風呂蓋２０（図８等参照）と、制御機２００と、リモコン４００と、を備えている。詳細については後述するが、風呂システム１においては、制御機２００に含まれるポンプによって、湯及び洗浄水が浴槽１００に供給される。そして、制御機２００がリモコン４００から制御信号を受信して各種制御を実行することによって、浴槽１００の排水、洗浄及び湯はりが自動的に行なわれる。本実施形態に係る自動洗浄装置は、浴槽１００の底面から洗浄水を噴射するための構成を意味し、上述した制御機２００、リモコン４００、後述する浴槽１００の底面のノズル１４０、及びノズル１４０から洗浄水を噴射するための各種配管、洗剤タンク１２０等を含む。したがって、一般的な浴槽１００に備えられている構成、例えば、湯や水を供給する蛇口１１０、浴槽１００の排水口１３０は自動洗浄装置に含まれない。
【００１７】
浴室１０は、例えば、壁パネル、天井パネル及び防水パン等から構成されるユニット室とすることができる。浴槽１００は、上部に開口を有する浴槽本体１０１と、蛇口１１０と、洗剤タンク１２０と、排水口１３０と、ノズル１４０とを備えている。そして、浴槽本体１０１の上部開口には、後述する風呂蓋２０によって塞がれるようになっている。
【００１８】
＜１−１．浴槽の概要＞
図２及び図３に示すように、浴槽本体１０１は、平面視矩形状に形成されており、上部開口の周縁には、フランジ状に框が形成されている。ここでは、説明の便宜のため、框のうち、長手方向に延び、対向する一対の部分を第１長手部１０３及び第２長手部１０４と称し、短手方向に延び、対向する一対の部分を第１短手部１０５及び第２短手部１０６と称することとする。この浴槽本体１０１は、第１長手部１０３が、浴室１０の壁面に接するように配置されており、第１短手部１０５及び第２短手部１０６と浴室１０の壁面との間には、隙間が形成されている。また、第２長手部１０４、第１短手部１０５、及び第２短手部１０６の下方には、浴槽本体１０１の周囲を覆うように、板状のエプロン１２５（図１参照）が配置されている。
【００１９】
図３に示すように、蛇口１１０は、第１長手部１０３と第１短手部１０５とが交差する角部付近に配置されており、制御機２００から湯の供給を受けて、浴槽本体１０１に湯をはるように構成されている。そして、蛇口１１０の吐水口は、浴槽本体１０１のあふれ面よりも上方に設けられている。したがって、風呂システム１においては、蛇口１１０の吐水口から湯が制御機２００側に逆流することがないため、蛇口１１０からの湯の逆流を防止するための逆流防止タンクを設ける必要がない。
【００２０】
洗剤タンク１２０は、浴槽本体１０１の洗浄時に使用される液状の洗剤を貯えるように構成されている。詳細については後述するが、洗剤タンク１２０に貯えられた洗剤は、制御機２００を経由してノズル１４０に供給される。洗剤タンク１２０は、浴槽１００の框の下方に取り付けられ、浴槽本体１０１とエプロン１２５との間に収められている。また、洗剤タンク１２０の蓋１２２は、浴槽本体１０１の框の上方に突出している。したがって、介護作業者は、蓋１２２を開けることによって、洗剤タンク１２０内に洗剤を注入することができる。
【００２１】
排水口１３０は、浴槽本体１０１の底面１０２において、長手方向の中心付近で、且つ第２長手部１０４に近接する位置に設けられ、制御機２００からの制御信号Ｓ１に従って自動的に開閉するように構成されている。排水口１３０が閉鎖された状態で、蛇口１１０から湯が供給されると浴槽本体１０１内に湯が貯えられる。一方、浴槽本体１０１内に湯が貯えられた状態で、排水口１３０が開放されると、浴槽本体１０１内の湯が排水される。
【００２２】
ノズル１４０は、浴槽本体１０１の底面１０２の中央付近に設けられており、例えば金属若しくは樹脂で形成されている。そして、このノズル１４０は、制御機２００から供給される洗浄水を放射状に噴出するように構成されている。ここで、「噴出」とは、液体を噴き出すことをいい、霧状及び粒状の液体を噴き出すことを含む。例えば、ノズル１４０は、制御機２００から供給される洗剤水（洗剤タンク１２０に貯えられた洗剤を湯で薄めたもの）及び濯ぎ水を噴出する。以下では、これら洗剤水と濯ぎ水を合わせて洗浄水と称することがある。本実施形態においては、ノズル１４０から噴出される洗浄水によって、浴槽本体１０１の自動洗浄が行なわれる。浴槽本体１０１の自動洗浄においては、ノズル１４０が主として浴槽本体１０１の内壁面に向かって洗剤水を放射状に噴出し、その後、ノズル１４０が浴槽本体１０１の内壁面に向かって濯ぎ水を放射状に噴出することによって、浴槽本体１０１の内壁面の汚れが落とされる。但し、マニュアル操作により、洗剤水のみ、あるいは濯ぎ水のみを噴出することもできる。なお、ノズル１４０から噴出される放射状の洗浄水は、いわゆる充円錐状に噴出されるが、ノズル１４０の形状を変更することで、空円錐状に噴出されてもよい。
【００２３】
図１に戻って、制御機２００について説明をする。制御機２００は、各種ポンプ２１０と、逆流防止タンク２２０と、受信部２３０と、制御機本体２４０とを含んでいる。制御機２００は、例えば、浴室１０の天井裏に設置されている。
【００２４】
各種ポンプ２１０の説明をする前に、風呂システム１における配管のうち、図１において省略されている配管の一部について説明する。風呂システム１においては、例えば、各種ポンプ２１０のいずれかと蛇口１１０とをつなぐ配管、各種ポンプ２１０のいずれかとノズル１４０とをつなぐ配管、及び、各種ポンプ２１０のいずれかと洗剤タンク１２０とをつなぐ配管が設けられている。
【００２５】
各種ポンプ２１０は、１又は複数のポンプを含み、例えば、以下の機能を実現するように構成されている。各種ポンプ２１０は、例えば、給湯器３００に接続された湯配管３０５から供給された湯と、水配管３１０から供給された水とを混ぜることによって温度が調整された湯を蛇口１１０に供給する機能を有する。なお、給湯器３００としては、公知の種々の給湯器を用いることが可能である。
【００２６】
また、洗剤タンク１２０から供給された洗剤と、湯配管３０５から供給された湯とを混ぜることによって生成された洗剤水をノズル１４０に供給する機能を有する。さらに、湯配管３０５から供給された湯を濯ぎ水としてノズル１４０に供給する機能を有する。例えば、各種ポンプ２１０は、洗剤水及び濯ぎ水を一定水圧でノズル１４０に供給するように構成されている。
【００２７】
逆流防止タンク２２０は、ノズル１４０からの湯の逆流を防止するために設けられたタンクである。逆流防止タンク２２０は、いわゆる、シスターンタンクである。
【００２８】
受信部２３０は、リモコン４００と通信するように構成されている。受信部２３０は、例えば、リモコン４００から赤外線を受信し、受信された信号を電気信号に変換して、受信結果を制御機本体２４０に送信する。また、受信部２３０は、介護作業者がリモコン４００を介して浴槽１００の自動洗浄やお湯はりの開始指示を行なった場合に、所定の信号を受信し、受信結果を制御機本体２４０に送信する。
【００２９】
制御機本体２４０は、図示しないＣＰＵ（Central Processing Unit）及び内部メモリを含み、内部メモリに記憶された情報や各センサ（不図示）からの信号等に基づいて各種ポンプ２１０及び排水口１３０等を制御するように構成されている。
【００３０】
＜１−２．風呂蓋の概要＞
次に、風呂蓋２０について、図４〜図７を参照しつつ説明する。図４は風呂蓋の平面図、図５は図４のＣ−Ｃ線断面図、図６は図４のＤ−Ｄ線断面図、図７は風呂蓋を分割した状態を示す平面図である。図４〜図６に示すように、この風呂蓋２０は、平面視矩形状に形成され、矩形の枠状に形成された支持部２１と、この支持部２１によって囲まれる板状の本体部２２とを備えている。支持部２１は、浴槽本体１０１の框の第１長手部１０３、第２長手部１０４、第１短手部１０５、及び第２短手部１０６の上にそれぞれ配置される第１部位２１１、第２部位２１２、第３部位２１３、及び第４部位２１４により構成されている。また、以下では、支持部２１の４つの角部を第１角部２１５、第２角部２１６、第３角部２１７、及び第４角部２１８と称することとする。各角部２１５〜２１８の位置は、図４に示すとおりであるが、例えば、第１角部２１５は、第１部位２１１と第３部位２１３とが交差する角部である。
【００３１】
本体部２２は、短手方向の中央付近で、長手方向に延びる中央線２２１を有しており、この中央線２２１の両端は、第３部位２１３及び第４部位２１４から離れている。また、図５及び図６に示すように、この中央線２２１は、支持部２１よりも低い位置に形成されている。そして、中央線２２１の左端部から第１角部２１５及び第３角部２１７に向かっては、それぞれ斜め上方に延びる第１境界線２２６及び第２境界線２２７が形成されている。同様に、中央線２２１の右端部から第２角部２１６及び第４角部２１８に向かっては、それぞれ斜め上方に延びる第３境界線２２８及び第４境界線２２９が形成されている。したがって、本体部２２は、支持部２１、中央線２２１、及び４つの境界線２２６〜２２９で囲まれる４つの板状の部位によって形成されている。ここでは、短手方向に対向する台形状の部位を第１台形部２２２、第２台形部２２３と称し、長手方向に対向する三角形状の部位を第１三角部２２４、第２三角部２２５と称することとする。そして、これらの部位は平坦な板状に形成されているため、図５及び図６に示すように、本体部２２の下面には中央線２２１に向かう傾斜面が形成されている。
【００３２】
傾斜面の勾配は、特には限定されないが、勾配が小さすぎると、後述するように、風呂蓋２０の下面に付着した洗浄水が、傾斜面を伝って流れにくくなる。一方、勾配が大きすぎると、洗浄水が下面から跳ね返り飛散量が増えるため、好ましくない。この観点から、勾配は、例えば、５〜２０％とすることができる。
【００３３】
また、図７に示すように、この風呂蓋２０は、長手方向の中心において、短手方向に延びる分割線２０５により、２つの部位、つまり第１蓋片２０１及び第２蓋片２０２に分割されている。
【００３４】
なお、風呂蓋２０は、樹脂成形品、ウレタンなどの発泡材料、金属など種々の材料で形成することができる。あるいは、これらの材料を少なくとも一つ用いて複数のパーツを組み合わせることで形成することができる。なお、発泡材料を用いることで、浴槽本体１０１に溜めた湯の保温性能を向上することができる。この点は、後述する変形例においても同じである。
【００３５】
＜１−３．洗浄水の軌道及び到達位置＞
次に、洗浄水の軌道及び到達位置について、図３，図８，及び図９を参照しつつ説明する。図８は、図３のＡ−Ａ線断面図、図９は、図３のＢ−Ｂ断面図である。なお、図８及び図９には、説明のために風呂蓋を配置している。図３，図８，及び図９において、破線矢印は、ノズル１４０が噴出する洗浄水の軌道の一部を示す。図３に示されるように、ノズル１４０は、ノズル１４０の外周方向全体に洗浄水を噴出する。
【００３６】
図８及び図９に示すように、水位１０８は、要介護者が浴槽本体１０１に入る前の水位である。例えば、浴槽本体１０１には水位１０８（所定水位）まで自動的に湯をはる機能が搭載されており、水位１０８は、例えば、浴槽本体１０１の上端（溢れ面１０９）の７０％〜８０％の水位である。ノズル１４０から噴出された洗浄水は、水位１０８と溢れ面１０９との間の領域Ａ１にかかるように調整される。すなわち、上述したノズル１４０の噴出角度や、水圧等を調整することで、洗浄水が領域Ａ１にかかるように調整されている。
【００３７】
浴槽本体１０１においては、内壁面のうち、人が入っていない状態の水位（水位１０８）と人が入った状態の水位（溢れ面１０９）との間の領域Ａ１が最も汚れやすい。この浴槽本体１０１においては、洗浄水が浴槽本体１０１の内壁面のうち人が入っていない状態の水位（水位１０８）よりも高い位置にかけられる。
【００３８】
すなわち、ノズル１４０における洗浄水の噴出角度は、噴出された洗浄水が、水位１０８より高い位置、かつ、溢れ面１０９を越えない位置にかけられる角度となっている。したがって、このノズル１４０によれば、浴槽本体１０１の内壁面のうち汚れが強い位置に洗浄水を適切にかけることができる。そして、浴槽本体１０１の内壁面に向かって噴出された洗浄水は内壁面において下方に垂れるため、浴槽本体１０１を全体的に洗浄することができる。
【００３９】
＜２．自動洗浄の方法＞
次に、上記のように構成された風呂システムにおける自動洗浄について、図１０も参照しつつ説明する。図１０は、風呂システム１における自動洗浄の流れを示すフローチャートである。このフローチャートに示される処理は、図８及び図９に示すように、浴槽１００に風呂蓋２０を配置した状態で、介護作業者がリモコン４００を介して浴槽１００の自動洗浄・お湯はりの開始指示を行なうと開始される。
【００４０】
まず、介護作業者によって自動洗浄・お湯はりの開始指示が行なわれると、制御機２００は、開放状態となるように排水口１３０を制御する（ステップＳ１００）。
【００４１】
その後、制御機２００は、所定時間が経過したかを判定する（ステップＳ１１０）。所定時間は、予め定められた時間であり、例えば、水位１０８まで貯められた湯の排水が終了する時間にマージンを加えた時間である。所定時間が経過するまで、制御機２００は待機する（ステップＳ１１０においてＮＯ）。
【００４２】
所定時間が経過したと判定されると（ステップＳ１１０においてＹＥＳ）、湯の排水が完了しているため、制御機２００は、ノズル１４０に洗浄水を供給し、浴槽本体１０１の洗浄を開始する（ステップＳ１２０）。例えば、制御機２００は、洗剤水のノズル１４０への供給と、濯ぎ水のノズル１４０への供給とを複数回繰り返すことによって、浴槽本体１０１の洗浄を行なう。
【００４３】
浴槽本体１０１の洗浄が完了すると、制御機２００は、閉鎖状態となるように排水口１３０を制御する（ステップＳ１３０）。その後、制御機２００は、蛇口１１０に湯を供給することによって、浴槽１００への給水を開始する（ステップＳ１４０）。水位１０８までの給水が終了することによって、本フローチャートに示される処理は終了する。
【００４４】
＜３．特徴＞
以上のように、本実施形態によれば、次の効果を得ることができる。
（１）上記のように、ノズル１４０からの洗浄水は、水位１０８と溢れ面１０９との間の領域Ａ１に当たるように噴出されるが、一部は、浴槽本体１０１から外部に飛散することがある。そこで、自動洗浄中に、上記のような風呂蓋２０によって浴槽本体１０１の上部開口を塞ぐことで、洗浄水が浴槽本体１０１の外部に飛散するのを防止することができる。
【００４５】
（２）風呂蓋２０の下面は、中央線２２１に向かって傾斜しているため、自動洗浄中に風呂蓋２０の下面に付着した洗浄水（泡を含む）を傾斜面に沿って中央線２２１付近まで流すことができる。したがって、風呂蓋２０の支持部２１と框との間に洗浄水（特に泡）が溜まるのを防止することができる。なお、ノズル１４０から充円錐状に洗浄水が噴射されると、中央線２２１付近に流れた洗浄水をしっかりと洗い流すことができる。
【００４６】
＜４．変形例＞
以上、本発明の一実施形態について説明したが、本発明は、上記実施形態に限定されるものではなく、その趣旨を逸脱しない限りにおいて、種々の変更が可能である。以下、変形例について説明する。但し、以下の変形例は適宜組合せ可能である。
【００４７】
＜４−１＞
上記実施形態では、風呂蓋２０を分割可能としているが、一体的に形成することもできる。また、３以上に分割することもできる。
【００４８】
＜４−２＞
上記実施形態では、風呂蓋２０の本体部２１は、中央線２２１に向かって平坦な面を組み合わせることで傾斜面を形成しているが、例えば、図１１に示すように、本体部２２を下方に凸の曲面状に形成することもできる。すなわち、本体部２２の下面は、中央付近に向かって傾斜するように形成されていればよい。あるいは、図１２に示すように、支持部２１の代わりに、本体部２２の端部に突部材２３を配置し、この突部材２３を框の上に配置することもできる。
【００４９】
＜４−３＞
上記実施形態では、風呂蓋２０の下面を中心付近に向かって傾斜するように形成しているが、一方向に傾斜するように形成することもできる。例えば、図１３に示すように、風呂蓋２０を板状の本体部２０５と、本体部２０５の長手方向の一端部の下面に配置された突部材（支持部材）２０６とで構成することができる。突部材２０６は、本体部２０５の長手方向の一端部において、短手方向に延びる棒状の部材である。そして、図１４に示すように、風呂蓋２０を浴槽１００に配置する際には、突部材２０６を框の第１短手部１０４に配置し、本体部２０５の他端部を第２短手部１０６に配置する。これにより、本体部２０５が、第１短手部１０５から第２短手部１０６に向かって下方に傾斜するように配置される。
【００５０】
風呂蓋２０をこのように構成すると、本体部２０５の下面に付着した洗浄水が、本体部２０５の一端部側から他端部側に流れる。そして、他端部側においては、ノズル１４０からの濯ぎ水によって洗浄水が洗い流される。したがって、風呂蓋２０の他端部と框との間に洗浄水が溜まるのを防止することができる。特に、ノズルから空円錐状に洗浄水が噴射されると、框付近に洗浄水をしっかりと当てることができ、泡などをきれいに洗い流すことができる。
【００５１】
なお、突部材２０６の構成は、特には限定されず、本体部２０５が傾斜するように構成されていればよい。したがって、突部材２０６は、棒状の部材以外であってもよく、少なくとも一つ以上の円柱状、多角柱状等の部材で構成されていてもよい。また、突部材２０６を本体部２２の長手方向の端部に配置することもできる。あるいは、図１５に示すように、本体部２２の一端部を折り曲げることで本体部２２を傾斜するようにもできる。
【００５２】
＜４−４＞
上記実施形態において、風呂蓋の本体部は、板状に形成されているが、変形可能なシート状の材料で形成することもできる。この点について、図１６〜図１８を参照し５つ説明する。
【００５３】
図１６及び図１７に示すように、この風呂蓋は、樹脂材料などで形成された可撓性を有するシート状の本体部２０９を備えており、この本体部２０９によって浴槽本体１０１の上部開口を塞ぐようになっている。但し、本体部２０９において、浴槽の蛇口１１０と干渉する角部には、矩形状の切り欠き２０７が形成されている。但し、蛇口１１０がない浴槽に用いられる場合には、切り欠き２０７を設けない。また、本体部２０９の周縁には、本体部２０９を框の上面に着脱自在に固定するための複数の固定部材２０８が取り付けられている。図１６の例では、本体部２０９の角部を含む７箇所に固定部材２０８が取り付けられているが、本体部２０９を框の上面に固定することができれば、固定部材２０８の数は特には限定されない。
【００５４】
図１７の拡大図に示すように、各固定部材２０８は、本体部２０９の下面に設けられた吸盤２５１と、この吸盤２５１に取り付けられ、本体部２０９の上面から突出する紐材２５２とを備えている。したがって、吸盤２５１を框の上面に押しつければ、吸盤２５１が固定される。一方、紐材２５２を引っ張れば、吸盤２５１が框の上面から離脱する。したがって、これら複数の固定部材２０８により、本体部２０９を框の上面に着脱自在に固定することができる。なお、固定部材２０８が設けられている本体部２０９の周縁は、シートを折り返すなどして多層としてもよいし、単層であってもよい。
【００５５】
また、本体部２０９の中央付近には、貫通孔が形成された固定具２５３が設けられている。図１８に示すように、この固定具２５３は、紐材２５４を介して浴室の壁面などに設けられた吊り下げ具２５５に吊り下げられる。すなわち、本体部２０９は、変形可能なシート状の材料で形成されているため、使用しないときには、浴槽の壁面に吊り下げることができる。
【００５６】
以上のように構成された風呂蓋はシート状の材料で形成されているため、図１７に示すように、浴槽本体１０１の上部開口を覆うように配置されたときには、本体部２０９の重量で中央付近が下方に突出するように湾曲する。すなわち、本体部２０９の下面には、その中央付近に向かって傾斜する傾斜面が形成される。したがって、上述した各風呂蓋と同様に、本体部２０９の下面に付着した洗浄水（泡を含む）を傾斜面に沿って中央付近まで流すことができる。したがって、框付近に洗浄水（特に泡）が溜まるのを防止することができる。
【００５７】
なお、本体部２０９を框に固定するための固定部材２０８の構成は特には限定されず、框の上面に着脱自在に固定できるのであれば、種々の構成が可能である。また、本体部２０９の形状は浴槽本体１０１の形状に応じて適宜形成すればよい。さらに、固定具２５３は、必ずしも必要ではなく、必要に応じて設ければよい。
【００５８】
＜４−５＞
本発明に係る風呂蓋は、上記実施形態のような自動洗浄装置が設けられた浴槽以外にも適用可能である。すなわち、洗浄水の噴射が自動で制御されたものに限られず、底面から洗浄水が供給される浴槽全般に適用することができる。
【符号の説明】
【００５９】
１０１  浴槽本体
２０  風呂蓋
２２，２０５，２０９  本体部
２０８  固定部材
２５３  固定具
２０６  突部材（支持部材）
【図１】
2020130717.tif 000003
【図２】
2020130717.tif 000004
【図３】
2020130717.tif 000005
【図４】
2020130717.tif 000006
【図５】
2020130717.tif 000007
【図６】
2020130717.tif 000008
【図７】
2020130717.tif 000009
【図８】
2020130717.tif 000010
【図９】
2020130717.tif 000011
【図１０】
2020130717.tif 000012
【図１１】
2020130717.tif 000013
【図１２】
2020130717.tif 000014
【図１３】
2020130717.tif 000015
【図１４】
2020130717.tif 000016
【図１５】
2020130717.tif 000017
【図１６】
2020130717.tif 000018
【図１７】
2020130717.tif 000019
【図１８】
2020130717.tif 000020